(57)【要約】  【課題】本発明は、排気ガス内の酸素含有量を決定するのに使用される広帯域ラムダセンサの基準通路を診断するための方法であって、ポンプセルおよびネルンストセルを備えた少なくとも１つのセンサエレメントを使用し、排気ガス内の酸素含有量を決定するための測定モードにおいて、閉ループ制御されたポンプ電流が前記ポンプセルを通って流れ、それによって測定室と排気ガスとの間で酸素イオンの交換が行われ、ひいては前記測定室内のラムダ値が１の値に閉ループ制御され、この際に、前記測定室内のラムダ値が前記ネルンストセルによって監視され、このために必要なポンプ電流の値が、酸素濃度、およびひいては決定しようとする、排気ガスのラムダ値に基づいており、前記センサエレメントの電極が、前記広帯域ラムダセンサを制御および評価するための制御ユニットに接続されており、前記測定モード以外に少なくとも１つの診断モードも設けられている方法に関する。  【解決手段】本発明によれば、前記診断モード中に、ポンプ電流閉ループ制御回路の切り替えが行われ、電圧測定を介して基準通路内の基準エアの品質の診断が実施されるようになっている。さらに本発明は、前記本発明による方法を実施するための装置に関する。  【選択図】図１
2015535073.tif 000002
【特許請求の範囲】
【請求項１】
排気ガス（１８）内の酸素含有量を決定するのに使用される広帯域ラムダセンサの基準通路（１５）を診断するための方法であって、ポンプセル（２０）およびネルンストセル（３０）を備えた少なくとも１つのセンサエレメント（１０）を使用し、排気ガス（１８）内の酸素含有量を決定するための測定モードにおいて閉ループ制御されたポンプ電流（１０２）が前記ポンプセル（２０）を通って流れ、それによって測定室（１２）と排気ガス（１８）との間で酸素イオンの交換が行われ、ひいては前記測定室（１２）内のラムダ値が１の値に閉ループ制御され、この際に、前記測定室（１２）内のラムダ値が前記ネルンストセル（３０）によって監視され、このために必要なポンプ電流（１０２）の値が、酸素濃度、およびひいては決定しようとする、排気ガス（１８）のラムダ値に基づいており、前記センサエレメント（１０）の電極が、前記広帯域ラムダセンサを制御および評価するための制御ユニットに接続されており、前記測定モード以外に少なくとも１つの診断モードも設けられている方法において、
前記診断モード中に、ポンプ電流閉ループ制御回路の切り替えを行い、電圧測定を介して基準通路（１５）内の基準エアの品質の診断を実施することを特徴とする、広帯域ラムダセンサの基準通路を診断する方法。
【請求項２】
前記センサエレメント（１０）内の酸素濃度を変えることで、高い酸素濃度を有する２つの個所間の比較測定が可能となるように、前記ポンプ電流閉ループ制御回路を変更することを特徴とする、請求項１に記載の方法。
【請求項３】
診断のために、強い負のポンプ電流（１０２）を調節することを特徴とする、請求項１または２に記載の方法。
【請求項４】
前記ネルンストセル（３０）に、負の閉ループ制御電圧を要求することを特徴とする、請求項１または２に記載の方法。
【請求項５】
調節されたネルンスト電圧（１０１）が概ね定常値を示す診断段階中に、前記ネルンスト電圧を評価し、＋５０ｍＶ〜＋１５０ｍＶのネルンスト電圧（１０１）では、誤りのない基準エアを有する誤りのない基準通路（１５）が前提とされ、これよりも低いまたは負の電圧に調節されている場合、誤った基準エアが前提とされる、請求項１から４のいずれか１項に記載の方法。
【請求項６】
誤りが検知されると、空気若しくは酸素で前記基準通路（１５）を集中的に満たすための前記センサエレメント（１０）の回路が要求され、その間、前記診断段階の時間的に直近において測定されたラムダ値が無効であると識別されることを特徴とする、請求項５に記載の方法。
【請求項７】
特に０〜５００ｍＶの範囲内の測定された前記ネルンスト電圧（１０１）を、別の手段によって妥当化することを特徴とする、請求項１から６のいずれか１項に記載の方法。
【請求項８】
前記診断を、１秒の診断経過時間内で実施することを特徴とする、請求項１から７のいずれか１項に記載の方法。
【請求項９】
前記診断法を、広帯域ラムダセンサの耐用年数の開始時に、および／または耐用年数中に所定の間隔で実施することを特徴とする、請求項１から８のいずれか１項に記載の方法。
【請求項１０】
前記診断を、走行サイクル中に、特に走行サイクルの開始時または終了時に一度実施することを特徴とする、請求項１から９のいずれか１項に記載の方法。
【請求項１１】
排気ガス（１８）内の酸素含有量を決定するための広帯域ラムダセンサの基準通路（１５）を診断するための装置であって、ポンプセル（２０）およびネルンストセル（３０）を備えた少なくとも１つのセンサエレメント（１０）が設けられていて、前記センサエレメント（１０）の電極が、前記広帯域ラムダセンサを制御および評価するための制御ユニットに接続されている形式のものにおいて、
前記制御ユニットが、請求項１から１０のいずれか１項に記載の方法を実施するための装置、特に前記ポンプセル（２０）によってポンプ電流（１０２）のポンプ電流閉ループ制御を変えるための切り替え装置、並びに前記ネルンストセル（３０）においてネルンスト電圧（１０１）を評価するためのコンパレータを有していることを特徴とする、広帯域ラムダセンサの基準通路を診断するための装置。
【請求項１２】
前記制御ユニットが、ＣＪ１３５ＡＳＩＣモジュールを有していることを特徴とする、請求項１１に記載の装置。
【発明の詳細な説明】
【技術分野】
【０００１】
本発明は、排気ガス内の酸素含有量を決定するために使用される広帯域ラムダセンサの基準通路を診断するための方法であって、ポンプセルおよびネルンストセルを備えた少なくとも１つのセンサエレメントを使用し、この場合、排気ガス内の酸素含有量を決定するための測定モードにおいて、閉ループ制御されたポンプ電流が前記ポンプセルを通って流れ、それによって測定室と排気ガスとの間で酸素イオンの交換が行われ、ひいては前記測定室内のラムダ値が１の値に閉ループ制御され、この際に、前記測定室内のラムダ値が前記ネルンストセルによって監視され、このために必要なポンプ電流の値が、酸素濃度、およびひいては決定しようとする、排気ガスのラムダ値に基づいており、前記センサエレメントの電極が、前記広帯域ラムダセンサを制御および評価するための制御ユニットに接続されており、前記測定モード以外に少なくとも１つの診断モードも設けられている方法に関する。
【背景技術】
【０００２】
本発明はさらに、本発明による方法を実施するための相応の装置に関する。
【０００３】
ラムダセンサは、内燃機関の燃料空気混合気の気化を制御するために、排気ガスの酸素含有量を測定するための、例えば内燃機関の排ガス管路内に使用される。ラムダセンサは、ジルコン二酸化物セラミックスより形成された、約３００℃の温度から酸素イオンを通過させる固体電解質の特性を利用する。固定電解質の少なくとも両側に白金電極が設けられている。一方側が、低下された酸素分圧を有する排気ガスに晒され、他方側が基準ガス例えば空気に晒されると、酸素イオンが固体電解質を通って拡散される。これによって生ぜしめられた、このような濃淡電池の両電極間の電圧差は、ネルンスト方程式によって記述され、ラムダ＝１の狭い窓内で排気ガスのラムダ値を決定するために使用される。このラムダ値は、理論空気燃料混合比に対する、そのときの空気燃料比を示す。
【０００４】
外部の電圧を電極に印加することによって、酸素イオンは固体電解質を通ってポンプ供給される。この特性は、ラムダ値を希薄排気ガスから過濃排気ガスまでの広い範囲内で決定できるようにするために、いわゆる広帯域ラムダセンサにおいて使用される。このために、電極、外側のポンプ電極が排気ガスに面している。第２の電極は内側のポンプ電極として、拡散バリアを介して排気ガスに接続されている。第２の電極は、拡散通路および拡散バリアによって排気ガスに接続された固体電解質内で測定室内に配置されていてよい。選択的な構成によれば、２つの電極は排気ガスに面した固体電解質の側に配置されていて、この場合、内側のポンプ電極は、被着された拡散バリア層によって覆われている。
【０００５】
外側のポンプ電極と、内側のポンプ電極と、およびその間に配置された固定電解質とは、いわゆるポンプセルを形成する。電圧を印加することによって、酸素イオンは内側のポンプ電極から外側のポンプ電極へ送られる。この場合、十分に高い電圧において、拡散バリアを通る酸素イオンによって限界電流が調節される。酸素拡散およびひいてはラムダ値を決定するために測定された限界電流は、排気ガス内の酸素分圧並びに拡散バリアの拡散特性に直接に依存している。拡散バリアの公知の拡散特性において、排気ガスのラムダは、限界電流から決定される。
【０００６】
ダブルセル型広帯域ラムダセンサとして公知の別の構成は、ポンプセルと濃淡電池との組み合わせから形成されている。この場合、外側のポンプ電極は排気ガスに面していて、内側のポンプ電極は、拡散バリアを通って排気ガスに接続された測定室内に配置されている。測定室内には、測定電極と呼ばれた、濃淡電池の別の第１の電極が配置されている。別個の基準通路内で、濃淡電池の第２の電極として基準電極が固体電解質に被着されている。基準通路は、規定された酸素含有量を有する基準ガスで、好適には外側の開口を通じて空気で満たされている。
【０００７】
このようなダブルセル型広帯域ラムダセンサにおいては、ポンプセルを通して、測定室内のラムダ値が、酸素イオンをポンプ供給またはポンプ排出されることによって、好適には１のラムダに調節される。このために、測定室内のラムダ値は濃淡電池を介して測定され、ポンプセルを通してポンプ電流を相応に閉ループ制御することによって、λ＝１に閉ループ制御される。このために必要なポンプ電流は、測定室内の拡散バリアによって拡散された酸素量に依存しており、ひいては排気ガスのラムダおよび拡散バリアの拡散特性に依存している。拡散バリアの公知の特性において、ポンプ電流から排気ガスのラムダが決定される。
【０００８】
拡散バリアの拡散特性は、製造のばらつきに支配される。従って、個別の拡散特性は、広帯域ラムダセンサの信号を評価する際に考慮されなければならない。
【０００９】
広帯域ラムダセンサの一例は、特許文献１に記載されている。
【００１０】
評価ユニットおよび制御ユニットとして用いられる広帯域ラムダセンサを運転するための装置は、例えば特許文献２に記載されている。特許文献２に記載された制御ユニットの基本的な考え方、構造および基本機能は、本特許出願人による特許文献３に記載された、広帯域ラムダセンサのための評価および制御ユニットに概ね相当する。この場合、制御ユニットは、ＡＳＩＣの形状で構成されていて、ＣＪ１２５若しくはＣＪ１３５の名称で公知である（本特許出願人による、“ＣＪ１３５−Ｌａｍｂｄａ  Ｐｒｏｂｅ  Ｉｎｔｅｒｆａｃｅ  ＩＣ”「ＣＪ１３５ラムダプローブインターフェースＩＣ」の製造インフォーメーション参照）。
【００１１】
特許文献４には、測定室内のガスの少なくとも１つの特性を検出するための、特にガスのガス成分を検出するための方法が記載されている。この方法において、少なくとも１つのセルを有する少なくとも１つのセンサエレメントが使用される。このセルは、少なくとも１つの第１の電極と、少なくとも１つの第２の電極と、第１の電極と第２の電極とを接続する少なくとも１つの固体電解質とを有している。第１の電極は測定室からのガスによって負荷可能である。第２の電極は少なくとも１つの基準ガス室に接続されており、この基準ガス室は、ガスのガス成分の予備を蓄えるように、調整されている。この方法は、次の少なくとも２つの運転モードを有している：
少なくとも１つの測定モードを有しており、この場合、測定モードにおいて、セルはポンプセルとして駆動され、ポンプセルを通る少なくとも１つのポンプ電流から特性が推論される、
少なくとも１つの診断モードを有しており、この場合、診断モードにおいて基準ガス室の貯蔵能力が検査され、セルに印加されたネルンスト電圧によって影響を受ける少なくとも１つの測定値が検出され、この測定値から貯蔵能力が推論される。
【００１２】
実際に市販されているラムダセンサの大部分は、その機能原理のために、いわゆる基準エア（本来の基準酸素）を必要とする。この基準エアは、この基準エアの酸素含有量が酸素２１％またはそれより高い点で優れている。このような基準エアを提供するすべての方法は、この基準エアが十分でない酸素を含有しているか、若しくは負の酸素原子価を有する元素によって「被毒」されている、という所定のリスクを有している。このような誤った基準値の結果として、ラムダ特性曲線のずれが生じ、論理的な結論として誤ったラムダ決定が生じ、また、時としてエンジン制御器のソフトウエアに不都合な誤入力が生じる。基準エアの診断は、通常の評価回路においては大抵は不可能であり、上記残されたリスクを考慮しなければならない。
【先行技術文献】
【特許文献】
【００１３】
【特許文献１】ドイツ連邦共和国特許公開第１０２００８００２７３４号明細書
【特許文献２】ドイツ連邦共和国特許公開第１０２０１００００６６３号明細書
【特許文献３】ドイツ連邦共和国特許公開第１０２００８００１６９７号明細書
【特許文献４】ドイツ連邦共和国特許公開第１０２０１００３９１８８号明細書
【発明の概要】
【発明が解決しようとする課題】
【００１４】
従って、本発明の課題は、広帯域ラムダセンサの前記基準エアの簡単かつ迅速な診断を実施することができる相応の方法を提供することである。
【００１５】
さらに本発明は、このような方法を実施するための相応の装置を提供することである。
【課題を解決するための手段】
【００１６】
方法に関する前記課題は、診断モード中に、ポンプ電流閉ループ制御回路の切り替えが行われ、電圧測定を介して基準通路内の基準エアの品質の診断が実施されることによって、解決される。この方法によって、センサエレメント内の誤った基準通路が診断されて、場合によっては誤ったラムダ値を避けることができ、ひいては、内燃機関におけるラムダ閉ループ制御の動作信頼性が高められ、排出有害物質防止の手助けになる。
【００１７】
この場合、ポンプ電流閉ループ制御回路は、センサエレメント内の酸素濃度を変えることで、高い酸素濃度を有する２つの個所間の比較測定が可能となるように、変更される。誤った基準値として判断され得る測定結果が得られると、結果として複数のシナリオが得られる。一方では、連続的な高い基準ポンプ電流によって、基準エアを洗浄し、酸素で満たすことが試みられる。他方では、誤入力によって、センサ交換が強制的に必要であると表示される。
【００１８】
好適な方法変化例によれば、診断のための、最大可能な負のポンプ電流が調節される。これによって、測定室を酸素イオンの超過圧力で満たすことができる。この高い酸素分圧は、短時間で既に（典型的には＜２５０ｍｓ後に既に）、静的状態に至り、その、新たに追加されたすべての酸素イオンの補正は、拡散バリアを通って排気ガス内へ拡散し、かつ流れることによって行われる。静的状態に達してから、時間的な変化が電圧測定を妨害することなしに、冒頭に述べた電圧測定が行われる。
【００１９】
これは、また、ネルンストセルに、負の閉ループ制御電圧を要求することによっても得られる。
【００２０】
この場合、調節されたネルンスト電圧が定常値を示す診断段階中に、ネルンスト電圧が評価され、＋５０ｍＶ〜＋１５０ｍＶのネルンスト電圧では、誤りのない基準エアを有する誤りのない基準通路が前提とされ、これよりも低いまたは負の電圧に調節されている場合、誤った基準エアが前提とされるようになっている。これは、相応のコンパレータによって簡単に監視され得る。
【００２１】
誤りが検知されると、空気若しくは酸素で前記基準通路を集中的に満たすための前記センサエレメントの回路が要求され、その間、診断段階の時間的に直近において測定されたラムダ値が無効であると識別される。これによって、センサエレメントは、少なくとも部分的に再び再生若しくは「解毒」され得る。
【００２２】
特に０〜５００ｍＶの範囲内の測定されたネルンスト電圧が、別の手段によって妥当化されると、特に高い診断信頼性が得られる。
【００２３】
最大で１秒、典型的には約０．５秒の非常に短い診断経過時間に基づいて、ラムダ測定は短時間中断されるだけであるので、ほぼ隙間のない排気ガス監視が可能である。
【００２４】
好適には、前記方法変化実施例を有する診断法は、広帯域ラムダセンサの耐用年数の開始時に、および／または耐用年数中に所定の間隔で実施される。これによって、耐用年数の開始時に、例えば排気ガスセンサが、長期間に亘って不適切に貯蔵されていたかどうかを、検知することができる。耐用年数中の使用は、劣化または機械的な損傷を検知することができる、という利点を提供する。これによって、一時的に「被毒された」センサは、そのラムダ信号が使用される前に、再生される。これによって、ラムダ信号を利用する機能性における、特定が困難である間違ったシーケンスエラーは避けられる。
【００２５】
好適には、さらに、診断は、走行サイクル中、特に走行サイクルの開始時または終了時に一度実施するだけでよい。
【００２６】
装置に関する前記課題は、制御ユニットが、前記方法変化実施例を有する前記方法を実施するための装置、特にポンプセルによってポンプ電流のポンプ電流閉ループ制御を変えるための切り替え装置、並びに前記ネルンストセルにおいてネルンスト電圧を評価するためのコンパレータを有している。この制御ユニットは、内燃機関の最優先されるエンジン制御装置の、少なくとも部分的に一体的な構成部分であってよい。この場合、機能性は、少なくとも部分的にまたは完全にソフトウエアに基づいて実行され、これは特に、非常に簡単にアダプションを可能にする。
【００２７】
特に好適な装置変化例に示されているように、制御ユニットが、ＣＪ１３５ＡＳＩＣモジュールを有していれば、この診断法を使用するための追加的な費用は比較的安価である。何故ならば、このモジュールは、通常運転に対して行わなければならない必要な切り替えを行うために、既に相応に多くの調節可能性を有しているからである。
【図面の簡単な説明】
【００２８】
【図１】コネクタハウジングを備えたダブルセル型広帯域ラムダセンサのセンサエレメントの概略図である。
【図２】ネルンスト電圧およびポンプ電流のための信号変化グラフである。
【発明を実施するための形態】
【００２９】
本発明を以下に、図面に示した実施例を用いて詳しく説明する。
【００３０】
図１は、排気ガス１８のラムダ値を決定するための、コネクタハウジング５０を備えたフラットなダブルセル型広帯域ラムダセンサのセンサエレメント１０の概略図を示す。センサエレメント１０は概ね、固体電解質１１より構成されている。固体電解質１１は、ポンプセル２０と、ネルンストセル３０と加熱器１６とを有している。固体電解質１１は、図面では、酸素イオンを伝導するジルコン二酸化物より成る一体的な物体として示されているが、複数の固体電解質層より成る構造部として構成されてよい。
【００３１】
ポンプセル２０は、外側のポンプ電極２１と、測定室１２内に配置された内側のポンプ電極２２とから成っている。外側のポンプ電極２１は、保護層２３によって被覆されていて、内燃機関の排気ガス１８に晒されている。外側のポンプ電極２１および内側のポンプ電極２２は、拡散通路１４の周りに環状に配置されている。拡散通路１４は、排気ガスを拡散バリア１３を介して測定室１２へ供給する。
【００３２】
測定室１２の、内側のポンプ電極２２とは反対側に、測定電極３１が配置されている。この測定電極３１は、基準通路１５内に配置された基準電極３２および、測定電極３１と基準電極３２との間に位置する固体電解質１１と共に、ネルンストセル３０または濃淡電池を形成する。基準通路１５は、通気性の材料で満たされていて、基準ガスとしての外気に向かって開放されている。基準値が脈動する場合、基準通路１５は、完全にまたは十分に閉鎖され、例えばジルコン二酸化物で満たされていてもよい。基準通路１５は、基準エアまたは基準酸素を表わす。
【００３３】
加熱器１６は、絶縁材料１７によって固体電界質１１から電気的に分離されている。
【００３４】
外側のポンプ電極２１は、接続部ＡＰＥ４０を介してコネクタハウジング５０に接続されている。内側のポンプ電極２２と測定電極３１とは、並列接続されていて、共通の接続部ＩＰＮ４１を介してコネクタハウジング５０にガイドされている。基準電極３２は接続部ＲＥ４２を介してコネクタハウジング５０に接続されていて、加熱器１６は第１の加熱接続部４３および第２の加熱接続部４４を介してコネクタハウジング５０に接続されている。
【００３５】
電極、つまり内側および外側のポンプ電極２１，２２、基準電極３２および測定電極３１は、白金より製造されている。
【００３６】
広帯域ラムダセンサの運転中に、排気ガスは、拡散通路１４および拡散バリア１３を介して測定室１２内に拡散する。測定室１２内のラムダ値は、ネルンストセル３０を介して、測定電極３１と基準電極３２との間のネルンスト電圧を測定することによって決定される。この場合、ネルンストセル３０は、ラムダ＝１の狭い測定窓内でラムダを決定することができる。外側のポンプ電極２１と内側のポンプ電極２２との間に、相応の極性を与えられた電圧を印加することによって、酸素イオンが、固体電解質１１によって排気ガスから測定室１２内に、または測定室１２から排気ガスへポンプ供給される。
【００３７】
ネルンストセル３０は、例えば特許文献３に記載されているように、ＣＪ１３５ＡＳＩＣであってよい制御ユニットにおける運転中に、基準ポンプ電流を利用して４５０ｍＶの電圧に閉ループ制御されるので、ラムダセンサ内の測定室１２（ラムダ−１−中空室）は、概ね無酸素であるとみなされる。これは、電源をポンプセル２０に印加することによって行われる。ポンプ電極２１，２２間を流れるポンプ電流１０２（図２参照）、およびひいては測定室１２と排気ガスとの間の酸素イオンの交換を適当に閉ループ制御することによって、測定室１２内のラムダ値は１の値に閉ループ制御される。この場合、測定室１２内のラムダ値は、ネルンストセル３０によって監視される。このために必要なポンプ電流の値は、酸素濃度およびひいては、排気ガスの決定しようとするラムダ値並びに拡散バリア１３の拡散特性に基づいている。このような着想を機能させるための必須条件は、前記基準ポンプ電流によって、非常に高い酸素含有量、基準エアを有する室が提供される、ということである。
【００３８】
この基準エア若しくは基準酸素が存在しなければ、印加されたポンプ電流１０２（図２参照）は、もはや、センサの定義の意味で、排気ガス１８の酸素含有量のための有効な値とみなされない。
【００３９】
基準エアの診断中に、制御ユニット（例えばＣＪ１３５ＡＳＩＣ）は、診断継続時間中に、測定室１２（ラムダ−１−中空室）を酸素イオンの超過圧力で満たす最大の負のポンプ電流１０２（図２参照）を調節するために用いられる。最大の負のポンプ電流１０２は、例えばこの段階では、−１０ｍＡ〜−１５ｍＡの値である。これは、ネルンストセル３０における負の閉ループ制御電圧の要求を介して、または制御ユニット内に設定されたポンプ電流運転の要求によって生じる。
【００４０】
前記の酸素超過圧力（高い酸素分圧）は、短時間で静的状態になり、新たに追加供給されたすべての酸素イオンの酸素超過圧力の補正は、拡散バリア１３を通って排気ガス１８内へ拡散し、かつ流れ込むことによって行われる。
【００４１】
図２には、信号変化グラフ１００に、ネルンスト電圧変化１０４およびポンプ電流変化１０５が示されており、この場合、横座標は時間１０３を示し、縦座標は、ネルンスト電圧１０１およびポンプ電流１０２の高さを示す。
【００４２】
相応のポンプ電流１０２を有する、４５０ｍＶで一定に閉ループ制御されたネルンスト電圧１０１を前提として、前記手段に従って、第１のエッジ１０６において約２５０ｍｓ内で新たな静的状態が得られる。この場合、測定室１２（ラムダ−１−中空室）と基準エアとの間に、約＋１００ｍＶの範囲内にあるネルンスト電圧１０１が形成される。何故ならば、典型的な形式で、基準エア内の酸素分圧は、いまや酸素だけが満たされている測定室１２内におけるよりも、まだ高いからである。通常運転時には、ネルンスト電圧１０１は＋４５０ｍＶである。
【００４３】
明らかな負電圧が形成されている場合は、誤った基準エアが前提とされているものであり、またこれが本来機能するべき場合は、センサエラーが検知されるか、または、基準エアを集中的に満たすための反応が要求され、その間、ラムダ信号は無効であるとみなされる。
【００４４】
ネルンスト電圧変化１０４内若しくはポンプ電流変化１０５内の第２のエッジ１０７により示される、通常運転への切り替えは、ポンプ電流１０２が再び正しい値を表示し、かつネルンスト電圧１０１が再び４５０ｍＶの値に調整されるまで、約２００ｍｓしかかからない。診断サイクルの時間は、全部で、約１秒およびそれより小さい（典型的には＜５００ｍｓ）範囲内である。診断は、走行サイクル毎に１回より多く実施する必要はない。診断のための可能な時点は、例えば車両の走行動作の開始時または終了時である。
【符号の説明】
【００４５】
１０  センサエレメント
１１  固体電解質
１２  測定室
１３  拡散バリア
１４  拡散通路
１５  基準通路
１６  加熱器
１７  絶縁材料
１８  排気ガス
２０  ポンプセル
２１  外側のポンプ電極
２２  内側のポンプ電極
２３  保護層
３０  ネルンストセル
３１  測定電極
３２  基準電極
４０  接続部ＡＰＥ
４１  接続部ＩＰＮ
４２  接続部ＲＥ
４３  第１の加熱接続部
４４  第２の加熱接続部
５０  コネクタハウジング
１００  信号変化グラフ
１０１  ネルンスト電圧
１０２  ポンプ電流
１０３  時間
１０４  ネルンスト電圧変化
１０５  ポンプ電流変化
１０６  第１のエッジ
１０７  第２のエッジ
【図１】
2015535073.tif 000003
【図２】
2015535073.tif 000004
【国際調査報告】
2015535073.tif 000005
2015535073.tif 000006
2015535073.tif 000007
2015535073.tif 000008